(57)【特許請求の範囲】
【請求項１】
座面部と前記座面部に両側方から接続した一対の側壁部とを有する座席本体と、
前記座席本体の一対の側壁部にそれぞれ設けられた端部支持部材に、両端部において接続した握り部材と、を備え、
前記握り部材は、その一側端部において、一側端部支持部材に着脱可能となっており、
前記握り部材は、その他側端部において、その一側端部が前記一側端部支持部材に取り付けられた状態にある前記握り部材に沿った第１回転軸線を中心として前記座席本体に対して相対回転可能、且つ、前記第１回転軸線と直交する第２回転軸線を中心として前記座席本体に対して相対回転可能となるように他側端部支持部材に接続し、
前記第１回転軸線及び前記第２回転軸線は、同一面上を延びている、子供座席。
【請求項２】
前記第１回転軸線を中心として前記他側端部支持部材に対して相対回転可能な回転部材を更に備え、
前記握り部材は、前記第２回転軸線を中心として前記回転部材に対して相対回転可能である、請求項１に記載の子供座席。
【請求項３】
前記第２回転軸線を中心として前記他側端部支持部材に対して相対回転可能な回転部材を更に備え、
前記握り部材は、前記第１回転軸線を中心として前記回転部材に対して相対回転可能である、請求項１に記載の子供座席。
【請求項４】
前記第１回転軸線に沿った方向に、前記一側端部を前記一側端部支持部材に対して相対移動させることで、前記握り部材は前記一側端部支持部材に着脱可能となっている、請求項１乃至３のいずれか一項に記載の子供座席。
【請求項５】
前記一側端部が前記一側端部支持部材に接続した状態において、前記第２回転軸線は、前記他側端部支持部材が設けられた位置での前記側壁部の縁に沿っている、請求項１乃至４のいずれか一項に記載の子供座席。
【請求項６】
前記握り部材は非発泡ＥＶＡで作製されている、請求項１乃至５のいずれか一項に記載の子供座席。
【請求項７】
前記握り部材は、少なくとも一部分において弾性変形可能である、請求項１乃至５のいずれか一項に記載の子供座席。
【請求項８】
請求項１乃至７のいずれか一項に記載の子供座席と、
前記子供座席を取り付けられた自転車と、を備える子供座席付き自転車。
【請求項９】
座面部と前記座面部に両側方から接続した一対の側壁部とを有する座席本体の前記一対の側壁部にそれぞれ接続される一側端部支持部材及び他側端部支持部材と、
前記一側端部支持部材及び前記他側端部支持部材に、両端部において接続した握り部材と、を備え
前記握り部材は、その一側端部において、前記一側端部支持部材に着脱可能となっており、
前記握り部材は、その他側端部において、その一側端部が前記一側端部支持部材に取り付けられた状態にある前記握り部材に沿った第１回転軸線を中心として前記他側端部支持部材に対して相対回転可能、且つ、前記第１回転軸線と直交する第２回転軸線を中心として前記他側端部支持部材に対して相対回転可能となるように前記他側端部支持部材に接続し、
前記第１回転軸線及び前記第２回転軸線は、同一面上を延びている、ガード装置。
【発明の詳細な説明】
【技術分野】
【０００１】
本発明は、子供座席、子供座席付き自転車およびガード装置に関する。
【背景技術】
【０００２】
自転車に取り付けて子供を載せるための自転車用子供座席が広く普及している。子供座席は、子供が着座する座部を有する座席本体と、座席本体に固定され、座部に着座した子供が掴まる握りバーと、を含む。
【先行技術文献】
【特許文献】
【０００３】
【特許文献１】特開２００１−２３８７６６号公報
【発明の概要】
【発明が解決しようとする課題】
【０００４】
ところで、握りバーは、座部に着座した子供が掴まりやすいよう、座部の上方に座部の幅方向に沿って延びている。このような子供座席に子供を載せ降ろしするには、子供を、握りバーを越える高さにまで持ち上げる必要がある。このことは、子供座席への子供の載せ降ろしを困難にしている。
【０００５】
本件発明は、以上の点を考慮してなされたものであって、子供の載せ降ろしが容易な子供座席および子供座席付き自転車、並びに、このような子供座席に用いられるガード装置の提供を目的としている。
【課題を解決するための手段】
【０００６】
本発明による子供座席は、
座面部と前記座面部に両側方から接続した一対の側壁部とを有する座席本体と、
前記座席本体の一対の側壁部にそれぞれ設けられた端部支持部材に、両端部において接続した握り部材と、を備え、
前記握り部材は、その一側端部において、一側端部支持部材に着脱可能となっており、
前記握り部材は、その他側端部において、その一側端部が前記一側端部支持部材に取り付けられた状態にある前記握り部材に沿った第１回転軸線を中心として前記座席本体に対して相対回転可能、且つ、前記第１回転軸線と非平行な第２回転軸線を中心として前記座席本体に対して相対回転可能となるように他側端部支持部材に、直接的または間接的に接続している。
【０００７】
本発明による子供座席において、
前記第１回転軸線と前記第２回転軸線とは直交していてもよい。
【０００８】
本発明による子供座席は、前記第１回転軸線を中心として前記他側端部支持部材に対して相対回転可能な回転部材を更に備え、
前記握り部材は、前記第２回転軸線を中心として前記回転部材に対して相対回転可能であってもよい。
【０００９】
あるいは、本発明による子供座席は、前記第２回転軸線を中心として前記他側端部支持部材に対して相対回転可能な回転部材を更に備え、
前記握り部材は、前記第１回転軸線を中心として前記回転部材に対して相対回転可能であってもよい。
【００１０】
また、本発明による子供座席において、
前記第１回転軸線に沿った方向に、前記一側端部を前記一側端部支持部材に対して相対移動させることで、前記握り部材は前記一側端部支持部材に着脱可能となっていてもよい。
【００１１】
また、本発明による子供座席において、
前記一側端部が前記一側端部支持部材に接続した状態において、前記第２回転軸線は、前記他側端部支持部材が設けられた位置での前記側壁部の縁に沿っていてもよい。
【００１２】
また、本発明による子供座席において、
前記握り部材は非発泡ＥＶＡで作製されていてもよい。
【００１３】
また、本発明による子供座席において、
前記握り部材は、少なくとも一部分において弾性変形可能であってもよい。
【００１４】
本発明による子供座席付き自転車は、
上記子供座席と、
前記子供座席を取り付けられた自転車と、を備える。
【００１５】
本発明によるガード装置は、
座面部と前記座面部に両側方から接続した一対の側壁部とを有する座席本体の前記一対の側壁部にそれぞれ接続される一側端部支持部材及び他側端部支持部材と、
前記一側端部支持部材及び前記他側端部支持部材に、両端部において接続した握り部材と、を備え
前記握り部材は、その一側端部において、前記一側端部支持部材に着脱可能となっており、
前記握り部材は、その他側端部において、その一側端部が前記一側端部支持部材に取り付けられた状態にある前記握り部材に沿った第１回転軸線を中心として前記他側端部支持部材に対して相対回転可能、且つ、前記第１回転軸線と非平行な第２回転軸線を中心として前記他側端部支持部材に対して相対回転可能となるように前記他側端部支持部材に、直接的または間接的に接続している。
【発明の効果】
【００１６】
本発明によれば、子供の載せ降ろしが容易な子供座席および子供座席付き自転車、並びに、このような子供座席に用いられるガード装置を提供することができる。
【図面の簡単な説明】
【００１７】
【図１】本発明の一実施の形態を説明するための図であって、子供座席付き自転車を示す側面図。
【図２】図１に示す子供座席の斜視図。
【図３】子供座席に取り付けられたガード装置の一側端部を示す側面図。
【図４】一側端部支持部材の斜視図。
【図５】握り部材の一側端部を示す斜視図。
【図６】子供座席に取り付けられたガード装置の他側端部を示す側面図。
【図７】他側端部支持部材と回転部材の一部とを示す斜視図。
【図８】他側端部支持部材と回転部材の他の一部とを示す斜視図。
【図９】握り部材を図２に示す位置から第２回転軸線を中心として回転させた状態を示す子供座席の斜視図。
【図１０】握り部材を図９に示す位置から第１回転軸線を中心として回転させた状態を示す子供座席の斜視図。
【図１１】握り部材を図１０に示す位置から第２回転軸線を中心として回転させた状態を示す子供座席の斜視図。
【発明を実施するための形態】
【００１８】
図１〜図１１は、本発明による子供座席付き自転車の一実施の形態を説明するための図である。このうち図１には、子供座席付き自転車の全体構成が示されている。図１に示すように、本実施の形態による子供座席付き自転車１は、子供座席１０と、子供座席１０を取り付けられた自転車２と、を含む。図１に示す例では、子供座席付き自転車１は、自転車２の前方部分に取り付けられた第２子供座席１００を更に含む。
【００１９】
なお、本明細書中において、自転車２に対する「前」、「後」、「上」、「下」、「前後方向」、および「上下方向」の用語は、特に指示がない場合、自転車２を運転する運転者を基準とした「前」、「後」、「上」、「下」、「前後方向」、および「上下方向」を意味する。したがって、「前後方向」とは、図１における紙面の左右の方向に相当する。そして、特に指示がない限り、「前」とは、自転車２を運転する運転者が向く側であり、図１における紙面の右側が自転車２の前側となる。一方、「上下方向」とは前後方向に直交するとともに接地面に直交する方向である。したがって、接地面が水平面である場合、「上下方向」とは垂直方向をさす。また、「幅方向」とは、横方向であって、「前後方向」および「上下方向」のいずれにも直交する方向である。
【００２０】
また、本明細書中において、子供座席１０および子供座席１０の各部に対する「前」、「後」、「上」、「下」、「前後方向」、および「上下方向」の用語は、特に指示がない場合、自転車２に取り付けられた子供座席１０に着座する子供を基準とした「前」、「後」、「上」、「下」、「前後方向」、および「上下方向」を意味する。したがって、「前後方向」とは、図１における紙面の左右の方向に相当する。そして、特に指示がない限り、「前」とは、子供座席１０に着座する子供が向く側であり、図１における紙面の右側が子供座席１０および子供座席１０の各部の前側となる。一方、「上下方向」とは前後方向に直交するとともに、自転車２の接地面に直交する方向である。したがって、上記接地面が水平面である場合、「上下方向」とは垂直方向をさす。また、「幅方向」とは、横方向であって、「前後方向」および「上下方向」のいずれにも直交する方向である。
【００２１】
以下、図面を参照して本発明の一実施の形態について説明する。
【００２２】
上述したように、子供座席付き自転車１は、子供座席１０と、子供座席１０を後方部分に取り付けられた自転車２と、を含む。
【００２３】
まず、自転車２について説明する。自転車２は、概ね前後方向に延びる主フレーム部３と、主フレーム部３の前端に接続されたフロントフォーク４と、フロントフォーク４の下端部に回転可能に支持された前輪５ａと、主フレーム部３の後端部に回転可能に支持された後輪５ｂと、を含む。フロントフォーク４は、概ね上下方向に沿って延びる軸線を中心として回動可能となっている。また、前輪５ａ及び後輪５ｂは、幅方向に沿った軸線を中心として回転可能となっている。さらに、自転車２は、フロントフォーク４の上端部に接続されたハンドル６と、主フレーム部３の長手方向の中央から上方に延び出すシートパイプ３ａに支持されたサドル７と、サドル７の後方かつ後輪５ｂの上方に設けられた荷台８と、を含む。荷台８は、主フレーム部３の後端部から上方に延び出す荷台支持部材３ｂによって支持されている。
【００２４】
ハンドル６は、運転者が前輪５ａの向きを操作するために使用されるものである。ハンドル６は、フロントフォーク４の上端に固定され、フロントフォーク４と共に主フレーム部３に対して回転可能となっている。したがって、ハンドル６を回転させるとフロントフォーク４が保持する前輪５ａの向きが変わる。なお、第２子供座席１００は、フロントフォークの上端に、ハンドル６と共に固定されている。
【００２５】
次に、図１〜図１１を参照して、子供座席１０について説明する。図２は、子供座席１０の全体構成を示す斜視図である。図３は、子供座席１０に取り付けられたガード装置３０の一側端部を示す側面図である。図４は、後述する一側端部支持部材３１を前方から見た斜視図である。図５は、後述する握り部材４０の一側端部を示す部分斜視図である。図６は、ガード装置３０の他側端部を示す側面図である。図７は、後述する他側端部支持部材３５と後述する回転部材５０の一部とを示す斜視図である。図８は、他側端部支持部材３５と回転部材５０の他の一部とを示す斜視図である。図９乃至図１１は、握り部材４０の動作を説明するための図である。なお、子供座席１０に含まれるいくつかの構成要素は、一部の図面では示されているものの、他の図面では図示を省略されている。
【００２６】
図２に示すように、子供座席１０は、子供を収容する座席本体２０とガード装置３０とを有する。
【００２７】
図示された例では、座席本体２０は、座面部２１と、座面部２１に後方から接続した後壁部２２と、を含む。座面部２１は、子供座席１０に着座する子供の臀部に対面するようになる部位である。後壁部２２は、子供の背中に対面するようになる部位である。また、座席本体２０は、座面部２１及び後壁部２２に側方から接続する一対の側壁部２３，２４を含む。一対の側壁部２３，２４には、ガード装置３０の両端部が接続されている。
【００２８】
図２によく示されているように、座席本体２０には、子供用ベルト２５が設けられている。子供用ベルト２５は、股ベルト、腰ベルトおよび肩ベルトを有する五点式ベルトとして形成されているが、これに限られない。例えば、子供用ベルト２５は、股ベルトおよび肩ベルトを有する三点式ベルトとして形成されてもよい。
【００２９】
次に、ガード装置３０について説明する。ガード装置３０は、一対の側壁部２３，２４にそれぞれ接続される一側端部支持部材３１及び他側端部支持部材３５と、一側端部支持部材３１及び他側端部支持部材３５に接続した握り部材４０と、を含む。握り部材４０は、その両端部において一側端部支持部材３１及び他側端部支持部材３５に接続している。また、図示された例では、ガード装置３０は、握り部材４０と他側端部支持部材３５とを接続する回転部材５０を有する。
【００３０】
握り部材４０の一側端部４０ａは、一側側壁部２３に設けられた一側端部支持部材３１に、着脱可能に接続する。また、握り部材４０の他側端部４０ｂは、他側側壁部２４に設けられた他側端部支持部材３５に、回転部材５０を介して着脱不能に接続する。図２に示すように、握り部材４０の一側端部４０ａが一側端部支持部材３１に接続した状態において、握り部材４０は、座面部２１の上方を子供座席１０の幅方向に沿って延びている。
【００３１】
図２に示すように、握り部材４０及び回転部材５０は、全体としてＵ字状に延びている。図３によく示されているように、握り部材４０の一側端部４０ａは、一側端部支持部材３１に接続した状態において、一側側壁部２３から前上方に延び出している。また、図６によく示されているように、上記他側端部４０ｂ及び回転部材５０は、他側側壁部２４から前上方に延び出している。これにより、握り部材４０と座面部２１との間に、広い空間が確保される。
【００３２】
本実施の形態では、子供を子供座席１０に載せ降ろしし易いよう、必要に応じて握り部材４０を座面部２１の上方から移動させることができる。また、本実施の形態では、子供を子供座席１０に幅方向のいずれの側からも載せ降ろしし易いよう、座面部２１の上方から移動させた握り部材４０を、子供座席１０に載せ降ろしする際の子供の移動経路と干渉しないように配置することができる。
【００３３】
具体的には、上述したように、握り部材４０の一側端部４０ａは、一側端部支持部材３１に着脱可能に接続している。また、握り部材４０の他側端部４０ｂは、他側端部支持部材３５に、座席本体２０に対して相対回転可能となるように接続されている。そして、握り部材４０の一側端部４０ａを一側端部支持部材３１から取り外して、握り部材４０を座面部２１の上方から移動させることができるようになっている（図２及び図９参照）。さらに、握り部材４０の一側端部４０ａを一側端部支持部材３１から取り外した後、握り部材４０の座席本体２０に対する姿勢を様々に変更させることにより、握り部材４０を座席本体２０の側壁部２４の縁２４ａに沿わせることができるようになっている（図９乃至図１１参照）。
【００３４】
図２及び図９を参照して、握り部材４０、一側端部支持部材３１及び他側端部支持部材３５について説明する。
【００３５】
握り部材４０は、握り本体４１と、握り本体４１の一側端部４１ａに接続された一側接続部４２と、を有する。一側接続部４２は、握り部材４０の一側端部４０ａをなす。図２及び図９から理解されるように、一側接続部４２は、一側端部支持部材３１に着脱可能に接続する。握り本体４１の他側端部は、握り部材４０の他側端部４０ｂをなす。上述したように、この他側端部４０ｂは、他側端部支持部材３５に、回転部材５０を介して着脱不能に接続する。
【００３６】
握り本体４１は、弾性変形しにくい材料で形成されている。握り本体４１は、例えば、非発泡ＥＶＡ（エチレン酢酸ビニルコポリマー）等で形成されている。握り本体４１が弾性変形しにくい材料で作製されていることにより、比較的握力の強い子供もしっかりと握り部材４０を握ることができる。
【００３７】
図３乃至図５を参照して、一側端部支持部材３１および一側接続部４２について、さらに詳細に説明する。
【００３８】
図３及び図４に示すように、一側端部支持部材３１は、一側側壁部２３に固定される基部３１ａと、基部３１ａから前上方に突出した保持凸部３１ｂとを有する。保持凸部３１ｂが突出する方向は、握り部材４０の一側接続部４２が一側端部支持部材３１に取り付けられた状態において握り部材４０に沿う方向Ｄ１である。図示された例では、保持凸部３１ｂは、円柱状に形成されている。
【００３９】
図３及び図５に示すように、握り部材４０の一側接続部４２には、保持凸部３１ｂを収容可能な保持凹部４２ａが設けられている。一側接続部４２と一側端部支持部材３１とは、保持凸部３１ｂを保持凹部４２ａに収容することにより接続される。したがって、一側接続部４２を保持凸部３１ｂの突出方向Ｄ１に沿って移動させることにより、一側接続部４２と一側端部支持部材３１とを着脱させることができる。
【００４０】
図示された例では、一側端部支持部材３１および一側接続部４２は、一側接続部４２を一側端部支持部材３１に接続した状態に維持する維持機構４５を有している。維持機構４５は、保持凸部３１ｂが保持凹部４２ａに収容された状態に維持する。維持機構４５は、保持凸部３１ｂに設けられた突起４６と、一側接続部４２に形成された突起受け４７と、を含む。さらに、一側接続部４２には、維持機構４５による一側接続部４２と一側端部支持部材３１との接続維持状態を解除するための、解除操作部４８が設けられている。
【００４１】
まず、維持機構４５について説明する。図３及び図４から理解されるように、突起４６は、保持凸部３１ｂの突出方向Ｄ１と交差する方向Ｄ２に突出している。突起４６は、保持凸部３１ｂ内を上記方向Ｄ２に沿って移動可能であり、上記方向Ｄ２に沿って保持凸部３１ｂの外側に向けて付勢されている。突起４６に保持凸部３１ｂの内側へ向かう力が加わると、突起４６は、保持凸部３１ｂ内に埋没する。図示された例では、突起４６は、保持凸部３１ｂの幅方向の一側と他側に、それぞれ設けられている。
【００４２】
図５に示すように、突起受け４７は、一側接続部４２の内面（保持凹部４２ａを画成する面）に開口している。より詳細には、突起受け４７は、保持凸部３１ｂが保持凹部４２ａに収容された状態で突起４６と対面する位置に、開口している。したがって、保持凸部３１ｂが保持凹部４２ａに収容されると、突起４６は、突起受け４７に嵌まり込む。図示された例では、突起受け４７は、各突起４６に対応して２つ設けられている。また、各突起受け４７は、保持凸部３１ｂが保持凹部４２ａに収容された状態で、突起４６の突出方向Ｄ２と一致する方向に延びている。
【００４３】
突起４６は、保持凸部３１ｂが保持凹部４２ａに収容される際、一側接続部４２の保持凹部４２ａを画成する面によって保持凸部３１ｂの内側へ向けて押されて、保持凸部３１ｂ内に自動的に埋没する。そして、突起４６は、突起受け４７が突起４６に対面する位置に到達した際、突起４６に加わる付勢力によって突起受け４７内に自動的に嵌まり込む。すなわち、保持凸部３１ｂを保持凹部４２ａに挿入するだけで、一側接続部４２は、一側端部支持部材３１に対して自動的に固定されるようになる。言い換えると、一側接続部４２と一側端部支持部材３１とは、維持機構４５によって、自動的に接続維持状態とされる。
【００４４】
解除操作部４８は、突起受け４７内に嵌まり込んだ突起４６を保持凸部３１ｂ内に押し込んで、維持機構４５による接続維持状態を解除するために用いられる。図示された例では、まず、上述した突起受け４７は、一側接続部４２を上記方向Ｄ２に沿って貫通する貫通孔である。そして、解除操作部４８の少なくとも一部は、一側接続部４２の外側から、突起受け４７内に収容されている。解除操作部４８を一側接続部４２の外側から内側へ向けて押し込むことにより、突起４６を保持凸部３１ｂ内に押し込んで、維持機構４５による接続維持状態を解除することができる。図示された例では、解除操作部４８は、２つの突起受け４７の各々に設けられている。
【００４５】
次に、図６乃至図８を参照して、握り部材４０の他側端部４０ｂ、他側端部支持部材３５および回転部材５０について、さらに詳細に説明する。
【００４６】
図６乃至図８に示すように、他側端部支持部材３５は、他側側壁部２４に固定される基部３５ａと、基部３５ａから前上方に突出した円柱状の第１軸部３５ｂとを有する。第１軸部３５ｂは、握り部材４０の一側接続部４２が一側端部支持部材３１に取り付けられた状態において握り部材４０に沿う方向Ｄ１に延び出している。第１軸部３５ｂの外周面からは、突出部３５ｃが方向Ｄ１と交差する方向に延び出している。
【００４７】
第１軸部３５ｂには、回転部材５０が着脱不能に接続されている。回転部材５０は、他側端部支持部材３５に対して（したがって座席本体２０に対して）相対回転可能となっている。回転部材５０は、円柱状の第１軸部３５ｂの中心線を第１回転軸線Ａｘとして、第１回転軸線Ａｘを中心として、他側端部支持部材３５に対して相対回転可能である。第１回転軸線Ａｘは、上述した方向Ｄ１に沿って延びている。図６及び図８によく示されているように、回転部材５０は、その上端部に、握り部材４０の他側端部４０ｂを接続する円柱状の第２軸部５０ａを有する。第２軸部５０ａは、第１回転軸線Ａｘと非平行な方向に延びている。
【００４８】
図示された例では、回転部材５０は、他側端部支持部材３５に支持される第１部品５１と、第２軸部５０ａを有し第１部品５１に固定される第２部品５２と、を有する。第１部品５１は、他側端部支持部材３５に後下方から支持される第１部分５１ａと、握り部材４０の他側端部４０ｂが接続される第２部分５１ｂとを有する。第１部分５１ａは、第１軸部３５ｂが挿通される孔を有する。第２部分５１ｂは、握り部材４０の他側端部４０ｂを後下方および第２軸部５０ａの長手方向における一方の側から支持する。また、第２部品５２は、環状に形成され第１軸部３５ｂが挿通される第１部分５２ａと、第２軸部５０ａが形成された第２部分５２ｂとを有する。第２部分５２ｂは、握り部材４０の他側端部４０ｂを後下方および第２軸部５０ａの長手方向における他方の側から支持する。第２軸部５０ａは、第２部品５２の第２部分５２ｂから、第１部品５１の第２部分５１ｂに向けて延び出している。なお、第１部品５１及び第２部品５２は、第１軸部３５ｂから突出する突出部３５ｃによって、第１軸部３５ｂから脱落不能となっている。
【００４９】
図７及び図８によく示されているように、握り部材４０の他側端部４０ｂには、握り部材４０の延びる方向と非平行な方向に延びる軸穴４０ｃが設けられている。軸穴４０ｃには、回転部材５０の第２軸部５０ａが挿通されている。これにより、握り部材４０は、その一側端部４０ａが一側端部支持部材３１から取り外された状態で、円柱状の第２軸部５０ａの中心線を第２回転軸線Ｂｘとして、第２回転軸線Ｂｘを中心として、回転部材５０に対して（したがって座席本体２０に対して）相対回転可能である。さらに、上述したように回転部材５０が第１回転軸線Ａｘを中心として座席本体２０に対して相対回転可能であることにより、握り部材４０は、第１回転軸線Ａｘを中心として座席本体２０に対して相対回転可能である。すなわち、握り部材４０は、互いに非平行な２つの回転軸線Ａｘ，Ｂｘを中心として座席本体２０に対して相対回転可能である。これにより、座席本体２０に対する握り部材４０の姿勢を、様々に変更可能である。また、握り部材４０（握り本体４１）が非発泡ＥＶＡ（エチレン酢酸ビニルコポリマー）のように弾性変形しにくい材料で作製されていても、握り部材４０の一側端部４０ａを一側端部支持部材３１から容易に取り外すことができる。
【００５０】
図示された例では、第１回転軸線Ａｘと第２回転軸線Ｂｘとは直交している。これにより、座席本体２０に対する握り部材４０の姿勢を、効率良く変更可能である。また、一側端部４０ａが一側端部支持部材３１に接続した状態において、第２回転軸線Ｂｘは、他側端部支持部材３５が設けられた位置での他側側壁部２４の縁２４ａに沿っている。これにより、握り部材４０の一側端部４０ａを一側端部支持部材３１から取り外して第２回転軸線Ｂｘを中心として握り部材４０を座席本体２０に対して相対回転させる際、相対回転させるための力を握り部材４０に効率良く加えることができる。
【００５１】
ここで、本実施の形態の子供座席１０による、握り部材４０の操作方法について説明する。まず、握り部材４０を、図２に示す位置から図９及び図１０に示す位置を経て図１１に示す位置に移動させる際の操作方法について説明する。
【００５２】
まず、握り部材４０が図３に示す状態にある場合、握り部材４０の一側接続部４２は、一側端部支持部材３１に接続されている。より具体的には、一側端部支持部材３１の保持凸部３１ｂが、一側接続部４２の保持凹部４２ａに収容されている。また、保持凸部３１ｂの突起４６が、一側接続部４２の突起受け４７に嵌まり込んでいる。握り部材４０を図３に示す位置から図９に示す位置に移動させる場合、まず、解除操作部４８を一側接続部４２の内側に押し込んで、突起４６を保持凸部３１ｂ内に埋没させる。この状態を維持したまま、一側接続部４２を一側接続部４２の延びる方向Ｄ１に沿って持ち上げ、一側接続部を一側取付具３１から取り外す。このとき、握り部材４０を、第２回転軸線Ｂｘを中心として座席本体２０に対して相対回転させる。その後、第２回転軸線Ｂｘを中心として、握り部材４０を座席本体２０に対してさらに相対回転させ、図９に示す位置まで移動させる。
【００５３】
次に、握り部材４０を第１回転軸線Ａｘを中心として座席本体２０に対して相対回転させ、座席本体２０に対する握り部材４０の姿勢を、図１０に示す姿勢にする。
【００５４】
次に、握り部材４０を第２回転軸線Ｂｘを中心として座席本体２０に対して相対回転させ、図１１に示す位置まで移動させる。
【００５５】
一方、握り部材４０を、図１１に示す位置から図１０及び図９に示す位置を経て図２に示す位置に移動させるには、上述した操作と逆の操作を行えばよい。
【００５６】
なお、上述した実施例では、握り本体４１は弾性変形しにくい材料で作製されているが、これに限られない。握り本体４１は、弾性変形可能な材料で形成されてもよい。弾性変形可能な材料としては、例えば発泡したＥＶＡ等、種々の材料を採用可能である。
【００５７】
また、上述した実施例では、回転部材５０は第１回転軸線Ａｘを中心として他側端部支持部材３５に対して相対回転可能であり、握り部材４０は第２回転軸線Ｂｘを中心として回転部材５０に対して相対回転可能であるが、これに限られない。例えば、回転部材５０が第２回転軸線Ｂｘを中心として他側端部支持部材３５に対して相対回転可能であり、握り部材４０が第１回転軸線Ａｘを中心として回転部材５０に対して相対回転可能であってもよい。ただし、本件発明者らの得た知見によれば、握り部材４０が第２回転軸線Ｂｘを中心として回転部材５０に対して相対回転可能である場合のほうが、回転部材５０が第２回転軸線Ｂｘを中心として他側端部支持部材３５に対して相対回転可能である場合と比較して、握り部材４０を図２に示す位置と図９に示す位置との間で移動させることが容易である。
【００５８】
さらに、上述した実施例では、ガード装置３０は自転車２の後方部分に取り付けられる子供座席１０に適用されているが、これに限られない。ガード装置３０は、自転車２の前方部分に取り付けられる子供座席１００に適用されてもよい。さらに、ガード装置３０の適用は、自転車用子供座席１０，１００に限られない。ガード装置３０は、乳母車やラック、チャイルドシートに含まれる子供座席に適用されてもよい。
【００５９】
以上のように、本実施の形態によれば、子供座席１０は、座面部２１と座面部２１に両側方から接続した一対の側壁部２３，２４とを有する座席本体２０と、座席本体２０の一対の側壁部２３，２４にそれぞれ設けられた端部支持部材３１，３５に、両端部において接続した握り部材４０と、を備えている。そして、握り部材４０は、その一側端部４０ａにおいて、一側端部支持部材３１に着脱可能となっている。また、握り部材４０は、その他側端部４０ｂにおいて、その一側端部４０ａが一側端部支持部材３１に取り付けられた状態にある握り部材４０に沿った第１回転軸線Ａｘを中心として座席本体２０に対して相対回転可能、且つ、第１回転軸線Ａｘと非平行な第２回転軸線Ｂｘを中心として座席本体２０に対して相対回転可能となるように他側端部支持部材３５に接続している。
【００６０】
このような子供座席１０によれば、一側接続部４２が一側端部支持部材３１から取り外された状態にある握り部材４０の座席本体２０に対する姿勢を、様々に変更可能である。この結果、子供を子供座席１０の一対の側壁２３，２４のいずれの側からも載せ降ろしし易いように、握り部材４０を座席本体２０に対して移動させることができる。
【００６１】
また、本実施の形態において、第１回転軸線Ａｘと第２回転軸線Ｂｘとは直交している。これにより、座席本体２０に対する握り部材４０の姿勢を、効率良く変更可能である。
【００６２】
本実施の形態では、子供座席１０は、第１回転軸線Ａｘを中心として他側端部支持部材３５に対して相対回転可能な回転部材５０を更に備えている。また、握り部材４０は、第２回転軸線Ｂｘを中心として回転部材５０に対して相対回転可能である。これにより、握り部材４０は、その他側端部４０ｂにおいて、第１回転軸線Ａｘ及び第２回転軸線Ｂｘを中心として座席本体２０に対して相対回転可能である。
【００６３】
なお、子供座席１０は、第２回転軸線Ｂｘを中心として他側端部支持部材３５に対して相対回転可能な回転部材５０を更に備えてもよい。そして、この場合、握り部材４０は、第１回転軸線Ａｘを中心として回転部材５０に対して相対回転可能であってもよい。この場合も、握り部材４０は、その他側端部４０ｂにおいて、第１回転軸線Ａｘ及び第２回転軸線Ｂｘを中心として座席本体２０に対して相対回転可能である。
【００６４】
また、本実施の形態において、第１回転軸線Ａｘに沿った方向に、一側端部４０ａを一側端部支持部材３１に対して相対移動させることで、握り部材４０は一側端部支持部材３１に着脱可能となっている。このような子供座席１０によれば、握り部材４０の一側端部４０ａを一側端部支持部材３１に着脱させる際、握り部材４０を、第２回転軸線Ｂｘを中心として回動させればよい。
【００６５】
また、本実施の形態において、一側端部４０ａが一側端部支持部材３１に接続した状態において、第２回転軸線Ｂｘは、他側端部支持部材３５が設けられた位置での側壁部２４の縁２４ａに沿っている。これにより、握り部材４０の一側端部４０ａを一側端部支持部材３１から取り外して第２回転軸線Ｂｘを中心として座席本体２０に対して相対回転させる際、相対回転させるための力を、握り部材４０に効率良く加えることができる。
【００６６】
また、本実施の形態において、握り部材４０（握り本体４１）は非発泡ＥＶＡで作製されている。握り部材４０が、その他側端部４０ｂにおいて第２回転軸線Ｂｘを中心として座席本体２０に相対回転可能であるため、非発泡ＥＶＡのような弾性変形しにくい材料で握り部材４０（握り本体４１）が作製されても、握り部材４０の一側端部４０ａの一側端部支持部材３１への着脱を、容易に行うことができる。もちろん、握り部材４０（握り本体４１）は、その少なくとも一部分において弾性変形可能な材料（発泡したＥＶＡ等）で形成されてもよく、弾性変形を全く前提としない硬質材料（ポリプロピレン（ＰＰ），ポリカーボネート（ＰＣ）等）で形成されてもよい。
【００６７】
また、本実施の形態によれば、子供座席付き自転車１は、上述した子供座席１０と、子供座席１０を取り付けられた自転車２と、を備える。このような子供座席付き自転車１によれば、子供を自転車２の幅方向のいずれの側からも載せ降ろしし易いように、握り部材４０を座席本体２０に対して移動させることができる。
【００６８】
また、本実施の形態によれば、ガード装置３０は、座面部２１と座面部２１に両側方から接続した一対の側壁部２３，２４とを有する座席本体２０の一対の側壁部２３，２４にそれぞれ接続される一側端部支持部材３１及び他側端部支持部材３５と、一側端部支持部材３１及び他側端部支持部材３５に、両端部において接続した握り部材４０と、を備える。そして、握り部材４０は、その一側端部４０ａにおいて、一側端部支持部材３１に着脱可能となっている。また、握り部材４０は、その他側端部４０ｂにおいて、その一側端部４０ａが一側端部支持部材３１に取り付けられた状態にある握り部材４０に沿った第１回転軸線Ａｘを中心として他側端部支持部材３５に対して相対回転可能、且つ、第１回転軸線Ａｘと非平行な第２回転軸線Ｂｘを中心として他側端部支持部材３５に対して相対回転可能となるように他側端部支持部材３５に接続している。
【００６９】
このようなガード装置３０が適用された座席本体２０によれば、一側接続部４２が一側端部支持部材３１から取り外された状態にある握り部材４０の座席本体２０に対する姿勢を、様々に変更可能である。この結果、子供を座席本体２０の一対の側壁部２３，２４のいずれの側からも載せ降ろしし易いように、握り部材４０を座席本体２０に対して移動させることができる。
【００７０】
なお、以上において上述した実施の形態に対するいくつかの変形例を説明してきたが、当然に、複数の変形例を適宜組み合わせて適用することも可能である。
【符号の説明】
【００７１】
１     子供座席付き自転車
２     自転車
１０   子供座席
２０   座席本体
２１   座面部
２３   一側側壁部
２４   他側側壁部
３０   ガード装置
３１   一側端部支持部材
３５   他側端部支持部材
４０   握り部材
４０ａ 握り部材の一側端部
４０ｂ 握り部材の他側端部
５０   回転部材
Ａｘ   第１回転軸線
Ｂｘ   第２回転軸線
【図１】
0006954666.tif 000002
【図２】
0006954666.tif 000003
【図３】
0006954666.tif 000004
【図４】
0006954666.tif 000005
【図５】
0006954666.tif 000006
【図６】
0006954666.tif 000007
【図７】
0006954666.tif 000008
【図８】
0006954666.tif 000009
【図９】
0006954666.tif 000010
【図１０】
0006954666.tif 000011
【図１１】
0006954666.tif 000012